(57)【要約】【課題】  通信機器の防水キャップ構造において、通信線導入部の防水キャップの防水性、気密性を確保し、かつ良好な作業性を実現する。【解決手段】  図４（ａ）に示す一方側が開口し有底円筒形の防水キャップ３ａは、シリコンゴム４の外皮からなる有底円筒形状の内周面全面に嫌気性接着シート５を有する。この防水キャップ３ａを通信線管２に嵌め込み取り付けることで、図４（ｂ）に示す通信線管２に対する密着状態となる。嫌気性接着シート５は通常、空気に触れている間は接着力を持たず、空気が遮断されると接着力を発揮する自己癒着性のものである。即ち、物質（通信線管２）に接触して空気が遮断されると、嫌気性接着シート５がゲル（固体と液体の間）化し、一定時間経過後、硬化し自己癒着部５ａとなって接着力を発揮する。【選択図】      図４
2005117799.tif 000002
【特許請求の範囲】
【請求項１】
屋外用通信機器筐体に備えられ通信線を筐体内へ導入する通信線導入部と、中空円筒形を呈して前記通信線導入部に複数設けられ一方側が前記筐体に接合され他方側が開口して前記通信線を前記筐体内へ導入する通信線管と、一方側が開口し他方側が有底の円筒形を呈して耐候性素材からなり前記通信線管の開口側から覆い被せて嵌め込まれる防水キャップと、この防水キャップの円筒形内周面に設けられ自己癒着性によって前記通信線管と密着する嫌気性接着シートとを備えることを特徴とする通信機器の自己癒着性防水キャップ構造。
【請求項２】
前記嫌気性接着シートは、円筒形の前記防水キャップの内周面全面に設けられることを特徴とする請求項１記載の通信機器の自己癒着性防水キャップ構造。
【請求項３】
前記嫌気性接着シートは、円筒形の前記防水キャップの有底部を除く内周面に設けられることを特徴とする請求項１記載の通信機器の自己癒着性防水キャップ構造。
【請求項４】
円筒形の前記防水キャップの有底部に開けられ前記通信線を通す穴を有することを特徴とする請求項１記載の通信機器の自己癒着性防水キャップ構造。
【請求項５】
前記嫌気性接着シートは、円筒形の前記防水キャップの有底部においては前記穴の周囲にのみ設けられることを特徴とする請求項４記載の通信機器の自己癒着性防水キャップ構造。
【請求項６】
前記嫌気性接着シートに導電性フィラーを混入させたことを特徴とする請求項１ないし５のいずれかに記載の通信機器の自己癒着性防水キャップ構造。
【発明の詳細な説明】
【技術分野】
【０００１】
本発明は通信機器の防水キャップ構造に関し、特に通信線を筐体内へ導入する通信線導入部を有する屋外用通信機器筐体に於いて、通信線導入部の防水性、気密性を確保するための自己癒着性防水キャップ構造に関する。
【背景技術】
【０００２】
従来、屋外用通信機器の防水キャップ構造は、図１０に示すように、通信線を屋外用通信機器筐体内に引き込む通信線導入部１１において、通信線管１２の周囲にねじが切ってあり、防水性、気密性を確保するために通信線管１２側にテープを巻き、防水キャップ１３と通信線管１２を密着させて専用の冶具で防水キャップ１３を締めて防水性、気密性を確保する必要がある。従って作業性が悪く、作業者の技術により精度にばらつきがあるという問題がある。さらに、従来の防水キャップ１３は金属の鋳物製である場合が多いため、寸法精度が悪く、質量も重くかつ高価であるという問題がある。
【０００３】
また図１１に示すように、従来の構造では、通信線管１２の防水キャップをはずして通信線導入部からケーブル６を筐体内に通す際、防水性、気密性確保のため通信線管１２とケーブル６の隙間にパテ盛り１４をしなければならず、従って作業性が悪いという問題がある。
【０００４】
一方、上述したような問題点に鑑み、防水構造における防水性、気密性を確保するため、シール材として嫌気性接着剤を使用する手法がある。嫌気性接着剤は
、通常、空気に触れている間は接着力を持たず、空気が遮断されると接着力を発揮する自己癒着性のものである。
【０００５】
特に、電線をまとめたワイヤーハーネスのグロメット部のシールに嫌気性接着剤を使用した従来技術が、以下の特許文献１に開示されている。
【０００６】
【特許文献１】特開２０００−２７０４４３号公報（第３頁、図１−３）  この特許文献１によれば、 図１２に示すように、内部にワイヤーハーネス２１を遊挿する拡径孔２６とこの拡径孔２６に連続してワイヤーハーネス２１を密着状態で挿通する縮径部２７とを備えたグロメット２２をワイヤーハーネス２１の途中に嵌め付ける。シール材として嫌気性接着剤２３を用い、グロメット２２内に充填した嫌気性接着剤２３により、グロメット２２内を貫通するワイヤーハーネス２１とグロメット２２間及びワイヤーハーネス２１の電線２４間の止水シールをする止水シール部２５を形成する。その後、縮径部２７の位置でグロメット２２をバンドクランプ２８で締め付けて空気を遮断し、嫌気性接着剤２３を硬化させる。これにより、シール材としての嫌気性接着剤２３の硬化を短時間に行わせて、生産性を上げることができるワイヤーハーネスのグロメット部を得るものである。
【発明の開示】
【発明が解決しようとする課題】
【０００７】
特許文献１に開示されたシール材として嫌気性接着剤を用いる技術によれば、上述した従来の通信機器の防水キャップ構造のごとき通信線管にテープを巻き専用冶具で防水キャップを締め付けるという作業性の悪さや精度ばらつきという問題は確かに解消される。
【０００８】
しかしながら、嫌気性接着剤はウレタンシール材などに比べて粘性が低く、止水シール部に充填する場合には専用の注入器を用いて対象部位に注入する必要があり、また注入後には対象部位をバンドクランプ等の治具で締め付けて空気を遮断し硬化させる必要がある。従って、嫌気性接着剤をシール用に使用する場合、作業性が必ずしも良いとは言えず、また専用の器具を必要とするなどの問題がある。
【０００９】
本発明の目的は、上記従来の問題点を解消し、嫌気性接着剤に代わり嫌気性接着シートを用いることにより、良好な作業性と安定した防水性、気密性が得られる通信機器の自己癒着性防水キャップ構造を提供することにある。
【課題を解決するための手段】
【００１０】
本発明の通信機器の自己癒着性防水キャップ構造は、屋外用通信機器筐体に備えられ通信線を筐体内へ導入する通信線導入部と、中空円筒形を呈して前記通信線導入部に複数設けられ一方側が前記筐体に接合され他方側が開口して前記通信線を前記筐体内へ導入する通信線管と、一方側が開口し他方側が有底の円筒形を呈して耐候性素材からなり前記通信線管の開口側から覆い被せて嵌め込まれる防水キャップと、この防水キャップの円筒形内周面に設けられ自己癒着性によって前記通信線管と密着する嫌気性接着シートとを備えてなる。
【００１１】
この通信機器の自己癒着性防水キャップ構造において、前記嫌気性接着シートは円筒形の前記防水キャップの内周面全面に設けられることが好ましく、あるいは前記嫌気性接着シートは円筒形の前記防水キャップの有底部を除く内周面に設けられていてもよい。
【００１２】
さらにこの通信機器の自己癒着性防水キャップ構造において、円筒形の前記防水キャップの有底部に開けられ前記通信線を通す穴を有するものとしてもよく、
またこの場合に前記嫌気性接着シートは円筒形の前記防水キャップの有底部においては前記穴の周囲にのみ設けられるものであってもよい。
【００１３】
さらにまたこれらの通信機器の自己癒着性防水キャップ構造において、前記嫌気性接着シートに導電性フィラーを混入させるようにしてもよい。
【発明の効果】
【００１４】
第１の効果は、通信機器の防水キャップ構造において良好な作業性と安定した防水性、気密性が得られることである。
【００１５】
その理由は、防水キャップの内径と通信線管の外径が略同径のため、両者を嵌めて取り付けるだけで密着し、かつ嫌気性接着シートの自己癒着性の作用により力や技術を必要とせず取付けられるので、作業者による精度のばらつきがなく安定した防水性と気密性が確保できるからである。
【００１６】
第２の効果は、嫌気性接着シートにより良好な取扱いができることである。
【００１７】
その理由は、従来の嫌気性接着剤を用いてシールを行う場合、嫌気性接着剤は比較的に粘性が低く、専用の注入器を用いて対象部位に注入充填する必要があるのに対し、嫌気性接着シートは対象構成品間に嵌め込むだけで密着性が得られるからである。
【００１８】
第３の効果は、防水キャップ構造の軽量化及び価格低減ができることである。
【００１９】
その理由は、従来の防水キャップは金属の鋳物であるため寸法精度が悪く、質量も重くかつ高価なものであるのに対し、本発明の防水キャップでは外皮にシリコンゴムなどの耐候性素材を使用しているので軽く、安価なものであり、ゴム素材の柔軟性と嫌気性接着シートの作用により通信線管に確実に密着し、防水性と気密性が確保できるからである。
【発明を実施するための最良の形態】
【００２０】
次に、本発明について図面を参照して説明する。
【００２１】
図１は本発明の実施の形態を適用した屋外用通信機器筐体を示す斜視図、図２は図１の通信線導入部を拡大した斜視図、図３は本発明の実施の形態に用いる防水キャップの斜視図、図４（ａ）は本発明の第１の実施の形態の防水キャップを示す断面図、図４（ｂ）は第１の実施の形態の防水キャップを通信線管に嵌めた状態の断面図、図５は防水キャップを通信線管に嵌め込む動作の斜視図、図６（
ａ）ないし（ｃ）は第１の実施の形態における嫌気性接着シートの硬化動作を順次に示す断面図である。
【００２２】
図１及び図２に示すように、箱型の屋外用通信機器筐体１において、通信線導入部１ａには外部からの接続ケーブル類を装置内部へ引き込むために、中空で円筒形の通信線管２が複数設けられており、通信線管２は片側が筐体１に溶接接合され他方側は開口されている。このように中空円筒形で片側が開口している通信線管２には、設置・運用するまでの間、屋外用通信機器筐体１の内部への水の浸入や、昆虫・小動物の侵入を防ぐための防水キャップ３が必要である。
【００２３】
通信線管2に対して、図２に示す防水キャップ３は、通信線管２の開口側に対応した形状・大きさとなっており、通信線管２の開口側に覆い被せるように嵌め込むことで、通信線管２との隙間を完全密着させ、高い防水性を容易に確保することが求められる。
【００２４】
図３に示すように、本発明の実施の形態に用いる防水キャップ３は、耐候性に優れた素材（たとえばシリコンゴム、あるいはＥＰＤＭなど）を外皮に使用したもので（図３ではシリコンゴム４と表記）、一方が開口し他方が有底の円筒形状をしており、円筒形内周面には空気が遮断されると接着力を発揮する嫌気性接着能力をもつ嫌気性接着シート５を備えて2層一体構造もしくは2重成型したものである。防水キャップ３の円筒内径に関しては、防水性、気密性を確保するため
、通信線管２と十分に密着するように通信線管２の外径と略同径とする。
【００２５】
なお、嫌気性接着シート５は、嫌気性接着剤を非通気性または多孔質なシート状基材に積層もしくは含浸してなるものである。
【００２６】
次に、第１の実施の形態の防水キャップについて説明する。図４（ａ）に示すように、第１の実施の形態の防水キャップ３ａは、シリコンゴム４の外皮からなる有底円筒形状の内周面全面に嫌気性接着シート５を有するものである。このような防水キャップ３ａを、図５に示すように通信線管２に嵌め込み取り付けることで、図４（ｂ）に示す通信線管２に対する密着状態となる。
【００２７】
ここで図６を参照して嫌気性接着シート５の硬化動作について説明する。この
実施の形態で使用する嫌気性接着シート５は、図６（ａ）のように空気に接触している状態では接着力を持たず周囲の外皮（シリコンゴム４）のような触感であるが、図６（ｂ）のように物質（通信線管２）に接触して空気が遮断されると、
嫌気性接着シート５がゲル（固体と液体の間）化し、一定時間経過後、図６（ｃ
）のように硬化し接着力を発揮する。
【００２８】
従って、図４（ａ）のように防水キャップ３ａ内面の嫌気性接着シート５が空気に触れている間は接着力を持たず、図５のように通信線管２に嵌めて取り付けることで、図４（ｂ）のように嫌気性接着シート５が通信線管２に密着するため、空気が遮断され、ゲル化が始まり、嫌気性接着シート５が接着力を発揮して自己癒着し、通信線管２と防水キャップ３ａを完全密着固定させる。このため防水キャップ３ａを取り付けるだけで、通信線管２と防水キャップ３ａの間に高い防水性と気密性が確保できる。
【００２９】
この第１の実施の形態の防水キャップ３ａでは、有底円筒形状の内周面全面に嫌気性接着シート５を有する（図４（ａ））が、通信線管２に嵌めて取り付けたとき、嫌気性接着シート５のうちの通信線管２に接触する部分のみの空気が遮断されて、自己癒着部５ａとなる（図４（ｂ））。
【００３０】
次に、本発明の第２の実施の形態の防水キャップについて説明する。図７（ａ
）は第２の実施の形態の防水キャップを示す断面図、図７（ｂ）は第２の実施の形態の防水キャップを通信線管に嵌めた状態の断面図である。
【００３１】
図７（ａ）に示すように、第２の実施の形態の防水キャップ３ｂは、シリコンゴム４の外皮からなる有底円筒形状の内周面のうち、有底部を除く内周面に嫌気性接着シート５を有するものである。この防水キャップ３ｂを通信線管２に嵌めて取り付けたとき、図７（ｂ）に示すように、嫌気性接着シート５の通信線管２に接触する部分の空気が遮断されて、自己癒着部５ｂとなる。この場合には、内周面に設けた嫌気性接着シート５のすべてが自己癒着部５ｂとなるため、上述した第１の実施の形態に比べ、嫌気性接着シート５の使用効率を向上することが可能である。
【００３２】
次に、本発明の第３の実施の形態の防水キャップについて説明する。図８（ａ
）は第３の実施の形態の防水キャップを示す断面図、図８（ｂ）は第３の実施の形態の防水キャップを通信線管に嵌め、さらにケーブルを通した状態の断面図である。
【００３３】
図８（ａ）に示すように、第３の実施の形態の防水キャップ３ｃは、シリコンゴム４の外皮からなる有底円筒形状の内周面全面に嫌気性接着シート５を有し、
有底部には嫌気性接着シート５とともにケーブルを通すための穴３ｅを開けたものである。穴３ｅの大きさは、通すケーブルと同じ径とする。
【００３４】
この防水キャップ３ｃを通信線管２に嵌めて取り付けると、図８（ｂ）に示すように、嫌気性接着シート５の通信線管２に接触する部分の空気が遮断されて、自己癒着部５ｃとなる。さらに、有底部の穴３ｅにケーブル６をねじ込むように通すと、嫌気性接着シート５とケーブル６の間の空気が遮断されて自己癒着部５
ｄが形成される。これにより、防水キャップ３ｃと通信線管２だけでなく、防水キャップ３ｃとケーブル６も完全密着される。即ち嫌気性接着シート５により、
ケーブル６を通す前と同様に密閉され、気密性を確保することができる。
【００３５】
次に、本発明の第４の実施の形態の防水キャップについて説明する。図９（ａ
）は第４の実施の形態の防水キャップを示す断面図、図９（ｂ）は第４の実施の形態の防水キャップを通信線管に嵌め、さらにケーブルを通した状態の断面図である。
【００３６】
図９（ａ）に示すように、第４の実施の形態の防水キャップ３ｄは、嫌気性接着シート５がシリコンゴム４の外皮からなる有底円筒形状の内周面及び有底部の穴３ｆの周囲のみに設けられる。有底部の穴３ｆは、周囲の嫌気性接着シート５とともにケーブルを通すために開けられ、その大きさは通すケーブル６と同じ径とする。
【００３７】
この第４の実施の形態においても上述した第３の実施の形態と同様に、防水キャップ３ｄを通信線管２に嵌めて取り付けると、図９（ｂ）に示すように、嫌気性接着シート５の通信線管２に接触する部分の空気が遮断されて、自己癒着部５ｅとなる。さらに、有底部の穴３ｆにケーブル６をねじ込むように通すと、周囲の嫌気性接着シート５とケーブル６の間の空気が遮断されて自己癒着部５ｆが形成される。これにより、防水キャップ３ｄと通信線管２だけでなく、防水キャップ３ｄとケーブル６も完全密着される。
【００３８】
次に、本発明の第５の実施の形態の防水キャップについて説明する。この第５の実施の形態においては、図３に示した防水キャップ３の円筒形内周面に設けた嫌気性接着シート５に導電性フィラーを混入させたものである。
【００３９】
即ち、嫌気性接着シート５を形成するために積層もしくは含浸させる嫌気性接着剤に導電性フィラーを混入させる。これにより、嫌気性接着シート５に電磁波シールドとしての特性を持たせる。このような防水キャップ３を図１及び図２に示すように、通信線導入部１ａにて通信線管２に嵌めて取り付けることにより、
屋外用通信機器筐体１内外における電磁波の侵入及び放出を防止し、電磁波障害防止の効果を発揮させることができる。
【００４０】
なお、この第５の実施の形態の防水キャップの嫌気性接着シート５に導電性フィラーを混入させることは、上述した第１ないし第４の実施の形態のいずれの防水キャップにも適用することができる。
【図面の簡単な説明】
【００４１】
【図１】本発明の実施の形態を適用した屋外用通信機器筐体を示す斜視図である。
【図２】図１の通信線導入部を拡大した斜視図である。
【図３】（ａ）は本発明の実施の形態に用いる防水キャップの斜視図、（ｂ）は（ａ）の矢視Ａによる斜視図である。
【図４】（ａ）は本発明の第１の実施の形態の防水キャップを示す断面図、（ｂ）は第１の実施の形態の防水キャップを通信線管に嵌めた状態の断面図である。
【図５】本発明における防水キャップを通信線管に嵌め込む動作の斜視図である。
【図６】（ａ）ないし（ｃ）は第１の実施の形態における嫌気性接着シートの硬化動作を順次に示す断面図である。
【図７】（ａ）は本発明の第２の実施の形態の防水キャップを示す断面図、（ｂ）は第２の実施の形態の防水キャップを通信線管に嵌めた状態の断面図である。
【図８】（ａ）は本発明の第３の実施の形態の防水キャップを示す断面図、（ｂ）は第３の実施の形態の防水キャップを通信線管に嵌め、さらにケーブルを通した状態の断面図である。
【図９】（ａ）は本発明の第４の実施の形態の防水キャップを示す断面図、（ｂ）は第４の実施の形態の防水キャップを通信線管に嵌め、さらにケーブルを通した状態の断面図である。
【図１０】従来の通信機器の防水キャップ構造を示す斜視図である。
【図１１】従来の防水キャップ構造にケーブルを通す状態を示す断面図である。
【図１２】従来の嫌気性接着剤を使用した技術を示す断面図である。
【符号の説明】
【００４２】
１    屋外用通信機器筐体
１ａ、１１    通信線導入部
２、１２    通信線管
３、３ａ、３ｂ、３ｃ、３ｄ、１３    防水キャップ
３ｅ、３ｆ    穴
４    シリコンゴム
５    嫌気性接着シート
５ａ、５ｂ、５ｃ、５ｄ、５ｅ、５ｆ    自己癒着部
６    ケーブル
１４    パテ盛り
２１    ワイヤーハーネス
２２    グロメット
２３    嫌気性接着剤
２４    電線
２５    止水シール部
２６    拡径孔
２７    縮径部
２８    バンドクランプ
【図１】
2005117799.tif 000003
【図２】
2005117799.tif 000004
【図３】
2005117799.tif 000005
【図４】
2005117799.tif 000006
【図５】
2005117799.tif 000007
【図６】
2005117799.tif 000008
【図７】
2005117799.tif 000009
【図８】
2005117799.tif 000010
【図９】
2005117799.tif 000011
【図１０】
2005117799.tif 000012
【図１１】
2005117799.tif 000013
【図１２】
2005117799.tif 000014